(57)【要約】【課題】温風暖房と輻射暖房を切り替えられる暖房機において、燃焼停止時の臭気を低減し、快適性の高い暖房機の実現を目的としたものである。【解決手段】燃焼停止制御部５３は、燃焼停止時にポンプ２２の燃料供給を停止したのち、第１所定時間後に電磁ソレノイド３３でノズル３１を閉じて気化部からの燃料気化ガスの噴出を停止して燃焼部の燃焼を消火する消火動作を行うとともに、この消火動作は輻射暖房運転の燃焼停止時にはそのまま消火動作するようにし、温風暖房運転の燃焼停止時には高温ガス切替手段４６を輻射体側へ切り替えて消火動作を行い、その後、再度温風吹出口側に切り替えるようにし、燃焼停止時の臭気の発生を抑制し、使用感を向上するようにしてある。【選択図】  図１
2004286339.tif 000002
【特許請求の範囲】
【請求項１】
燃料を供給するポンプと、供給された燃料を気化する気化部と、気化ガスを噴出するノズルと、前記ノズルを開閉するニードル弁を有した電磁ソレノイドと、噴出したガスを燃焼させる燃焼部と、燃焼部で生じた高温ガスを採熱面を介して輻射エネルギーに変換する輻射体と、空気流を供給する送風手段と、前記送風手段からの空気流と燃焼部で生じた高温ガスを混合して温風として排出する温風吹出口と、燃焼部で生じた高温ガスを輻射体側あるいは温風吹出口側へ切り替える高温ガス切替手段と、運転条件等を設定する操作部と、操作部で設定された条件に基づいて運転を制御する制御部とを備え、前記制御部は燃焼停止時にポンプの動作を停止したのち、第１所定時間後に電磁ソレノイドによりノズルを閉塞して消火動作を行う燃焼停止制御部を有し、前記燃焼停止制御部は燃焼停止前の運転が輻射暖房運転の場合は、前記高温ガス切替手段は燃焼停止時のまま消火動作を行い、その後、第２所定時間経過時点で前記高温ガス切替手段を温風吹出口側に切り替えるようにし、燃焼停止前の運転が温風暖房運転の場合は、燃焼停止動作時に前記高温ガス切替手段を温風吹出口側から輻射体側へ切り替えて消火動作を行い、その後、第３所定時間経過時点で前記高温ガス切替手段を温風吹出口側に切り替えるようにした暖房装置。
【請求項２】
高温ガス切替手段は、送風手段からの室内空気流の流れを切り替えて高温ガスの流れを輻射体側あるいは温風吹出口側に切り替える構成とした請求項１記載の暖房装置。
【請求項３】
輻射体は、その採熱面の全体あるいは一部に空気浄化させる触媒機能を担持してなる請求項１または２記載の暖房装置。
【発明の詳細な説明】
【０００１】
【発明の属する技術分野】
本発明は、輻射熱と温風を用いた暖房装置に関するものである。
【０００２】
【従来の技術】
従来の温風による暖房は、部屋が寒いときなどに一気に室温を立ち上げるときは有効であり、また、輻射による暖房は室内全体は暖まるのに時間がかかるが、気流感を感じない暖房として根強い人気がある。そして、近年、暖房使用者の要求は、温風が巻き上げるダニの糞等のアレルゲン物質の問題もあり、温風を使った暖房では気流感が嫌われる傾向が生じてきた。
【０００３】
そこで、下記に示すような輻射熱と温風を用いた暖房装置の開発がなされた。図５〜図７を用いて説明すると、１は燃料を燃焼させる燃焼部で、この燃焼部１で生じた燃焼排ガスを上方へ導くように配設した燃焼筒２で覆われていて、この燃焼部１と燃焼筒２で高温ガスを発生させる高温ガス発生手段を形成している。
【０００４】
３は、輻射体加熱風路４を流れるの高温の燃焼排ガスをその採熱面５で採熱し、その採熱した熱を輻射エネルギーとして発生する輻射体である。
【０００５】
６は、輻射体加熱風路４と機器筐体７の間に空気流を流し、輻射暖房運転時に機器筐体７への熱伝導を低減する輻射手段冷却風路で、この輻射手段冷却風路６を流れる空気流を該機器の前方上方へ排出して、部屋の空気の循環流を形成するようにしてある。
【０００６】
８は、輻射手段冷却風路６下方に位置させ、輻射体３の下部に配置した温風吹出口で、燃焼部１生じた燃焼排ガスと室内空気流を混合して温風として排出するようになっている。
【０００７】
９は、室内空気を空気流として供給する送風手段で、この空気流は本体冷却風路１０を介して高温ガス切替手段１１で、輻射手段冷却風路６側かあるいは温風吹出口８側へ切り替えられ、流れていくようになっている。
【０００８】
１２は、該機器の運転条件を設定する操作部で、高温ガス切替手段１１で燃焼部１で生じた高温ガスを輻射体３側かあるいは温風吹出口８側へ切り替える手動切替ボタン１３と、予め設定された条件に基づいて輻射暖房運転と温風暖房運転を自動的に切り替える自動切替ボタン１４を有している。
【０００９】
１５は制御部で、送風手段９の吸い込み口に配設し該機器で部屋の代表温度として温度検出する温度検出手段１６で検知した室温や操作部で設定された運転条件等に基づいて送風手段８や高温ガス切替手段１１をあらかじめ決められたシーケンスでコントロールするようにしてある。
【００１０】
上記した構成において、高温ガス切替手段１１で送風手段９からの空気流を輻射手段冷却風路６側へ切り替えたときには輻射暖房運転となり、輻射手段冷却風路６の入り口を開口し、送風手段９からの空気流が輻射手段冷却風路６へ流れ、燃焼部１で生じた燃焼排ガスは、下方へ流れる力が働かなり、燃焼筒２の上方へ流れていき、その熱によるドラフトでさらに上方へ流れ、輻射体加熱風路４へ導かれるようになる。
【００１１】
そして、燃焼部１で生じた高温の燃焼排ガスで輻射体３の採熱面５を高温とし、その採熱面５で採熱した熱を輻射体３より輻射エネルギーとして発生し、輻射暖房をすることができるようになる。またそれと同時に、輻射手段冷却風路６へ流れた空気流が該機器の前方上方へ温風として排出され、部屋の空気の循環流を形成するようにしてあるので、室内の空気が循環して部屋全体の空気が混ざり合い、輻射のみの暖房に比べ、部屋全体温度がほぼ均一となり暖房感が向上する。
【００１２】
さらに、循環流も機器の上方に排出するようにしてあるので、機器の上方に気流感があるだけで、機器の前方つまり使用者の居住空間には気流感がなく、気流による不快感を使用者が感じることがなくなり暖房感が向上する。
【００１３】
また、高温ガス切替手段１１で送風手段９からの空気流を温風吹出口８側へ切り替えたときには温風暖房運転となり、輻射手段冷却風路６の入り口を閉塞して、送風手段９からの空気流が燃焼筒２の前面下方へ流れ燃焼部１で生じた燃焼排ガスを温風吹出口８側へ導き、送風手段９からの空気流と燃焼部１で生じた燃焼排ガスを混合して、温風として温風吹出口８からを排出する温風暖房をすることができるようになる。
【００１４】
また、制御部１５は、温度検出手段１６で検知した室温や操作部１２で設定された手動運転モード切替手段１３や自動運転モード切替手段１４等の運転条件等に基づいて送風手段８や高温ガス切替手段１１をあらかじめ決められたシーケンスで制御するようになっている（例えば、特許文献１参照）。
【００１５】
【特許文献１】
特開２００１−１５０６１号公報（第４頁、第１図〜３図）
【００１６】
【発明が解決しようとする課題】
しかしながら上記従来の構成においては、運転モードが輻射暖房運転と温風暖房運転と２通りあり、燃焼開始時および燃焼停止時は、どちらの運転モードでもできるようになっており、特に、この温風暖房運転時は輻射暖房運転時に比べ、使用者が燃焼開始時および燃焼停止時の臭気を感じやすい傾向があり、また、燃焼開始時は、室温を立ち上げるときに有効な温風暖房運転を選択する場合が多くなり、暖房開始時に臭気を多く感じやすいというデメリットが考えられた。
【００１７】
つまり、温風暖房運転時には送風手段９からの空気流が燃焼筒２の前面下方へ流れ燃焼部１で生じた燃焼排ガスを温風吹出口８側へ導くようになっていて、燃焼筒２内の燃焼排ガスが早く排出されるようになる。また、燃焼開始時および燃焼停止時には、燃焼部１の燃焼は燃焼バランスが崩れ未燃ガスを生じやすく、この未燃ガスは、燃焼筒２内で殆ど燃焼完結されるが、ごく一部が排出され臭気として、室内へ放出される。
【００１８】
そして、温風暖房運転時には、燃焼筒２内の燃焼排ガスが早く排出されるので、燃焼開始時および燃焼停止時の燃焼部１で生じる未燃ガスが燃焼完結される前に、送風手段９からの空気流に混ざり、燃焼完結されないまま室内に放出されやすく、さらに、放出された未燃ガスは部屋の居住空間を暖める温風に混ざって部屋中に拡散され、使用者は臭気を多く感じるようになる。
【００１９】
そこで本発明は、温風暖房と輻射暖房を切り替えられる暖房機において、燃焼開始時および燃焼停止時に未燃ガスによる臭気を使用者が感じにくい輻射運転に切り替えるようにして、燃焼開始時および燃焼停止時の臭気を低減し、快適性の高い暖房機の実現を目的としたものである。
【００２０】
【課題を解決するための手段】
本発明は上記課題を解決するため、燃料を供給するポンプと、供給された燃料を気化する気化部と、気化ガスを噴出するノズルと、前記ノズルを開閉するニードル弁を有した電磁ソレノイドと、噴出したガスを燃焼させる燃焼部と、燃焼部で生じた高温ガスを採熱面を介して輻射エネルギーに変換する輻射体と、空気流を供給する送風手段と、前記送風手段からの空気流と燃焼部で生じた高温ガスを混合して温風として排出する温風吹出口と、燃焼部で生じた高温ガスを輻射体側あるいは温風吹出口側へ切り替える高温ガス切替手段と、運転条件等を設定する操作部と、操作部で設定された条件に基づいて運転を制御する制御部とを備え、前記制御部は燃焼停止時にポンプの動作を停止したのち、第１所定時間後に電磁ソレノイドによりノズルを閉塞して消火動作を行う燃焼停止制御部を有し、前記燃焼停止制御部は燃焼停止前の運転が輻射暖房運転の場合は、前記高温ガス切替手段は燃焼停止時のまま消火動作を行い、その後、第２所定時間経過時点で前記高温ガス切替手段を温風吹出口側に切り替えるようにし、燃焼停止前の運転が温風暖房運転の場合は、燃焼停止動作時に前記高温ガス切替手段を温風吹出口側から輻射体側へ切り替えて消火動作を行い、その後、第３所定時間経過時点で前記高温ガス切替手段を温風吹出口側に切り替える構成としてある。
【００２１】
上記発明によれば、燃焼停止制御部は、燃焼停止動作時にポンプの動作を停止したのち第１所定時間後に電磁ソレノイドによりノズルを閉塞して消火動作を行うようにしてあるので、燃焼停止時の臭気の発生を抑制でき、使用感が向上する。
【００２２】
つまり、燃焼停止動作時は第１所定時間の間、ポンプを停止してノズルを開放状態とすることで燃焼を徐々に小さくし、その後、電磁ソレノイドのニードルでノズルを閉塞して完全に燃焼停止するようにし、火炎ボリュームを小さくしてから消火動作を行うようにしているため、消火時の未燃ガスの発生を低減することができ、臭気の発生を抑制することができる。
【００２３】
さらに、燃焼停止制御部は、燃焼停止前の運転が輻射暖房運転の場合は、そのまま消火動作を行い、温風暖房運転を行っているときに燃焼を停止した場合は、燃焼停止動作時に高温ガス切替手段を輻射体側へ切り替えるようにしてあるので、使用者は常に臭気が低い条件で燃焼停止でき、使用感が向上する。
【００２４】
つまり、輻射暖房運転での燃焼停止動作時は、燃焼部で生じた高温ガスを高温ガス切替手段で輻射体側へ切り替えた条件で消火するようになっていて、燃焼部で生じた燃焼排ガスの高温ガスは、送風手段からの空気流が作用しないので、下方へ流れる力が働かず、その熱によるドラフトで燃焼筒からさらに上方へ流れ、輻射体へ導かれるようになる。そして、燃焼部で生じた消火時の未燃ガスはその熱によるドラフトで燃焼筒内を上方へゆっくりと流れていく過程で殆ど燃焼完結するようになり、未燃ガスは室内に放出される量が少なく、さらに、放出された未燃ガスは機器の上方に排出されるようにしてあるので、使用者の居住空間にはあまり到達せず、使用者は臭気をあまり感じないで使用できるようになる。
【００２５】
また、温風暖房運転での燃焼停止動作時は、燃焼部で生じた高温ガスを高温ガス切替手段で温風吹出口側へ切り替えた条件で消火するが、燃焼停止動作時に高温ガス切替手段を輻射体側へ切り替えるようにしているため、燃焼部で生じた燃焼排ガスの高温ガスは、遅れながらも燃焼筒周囲に送風手段からの空気流が流れなくなり、上記した輻射暖房運転での燃焼停止動作時の条件に近い効果が得られ、使用者は臭気をあまり感じないで使用できるようになり、使用感が大幅に向上する。
【００２６】
さらに、燃焼停止制御部は、輻射暖房運転の燃焼停止時には消火動作後、第２所定時間経過時点、また、温風暖房運転の燃焼停止時には消火動作後、第３所定時間経過時点で、高温ガス切替手段を温風吹出口側へ切り替えることで、燃焼停止直後の未燃ガスの発生がなくなった後に、燃焼筒周囲に空気流を流し、燃焼筒内の高温の空気を早く排出させて、燃焼部や気化部を早く冷却して、気化部内の燃料が気化してノズルより漏れて臭気の発生することを低減することができる。
【００２７】
同時に、気化部の温度が早く下がるので、ソレノイドの通電を停止して、ニードルによるノズルの閉塞を早く終了することができ、ソレノイドの通電によるソレノイド自身の温度上昇を防止するとともに、ソレノイドの通電による消費電力を低減することができる。
【００２８】
【発明の実施の形態】
請求項１記載の暖房装置は、燃料を供給するポンプと、供給された燃料を気化する気化部と、気化ガスを噴出するノズルと、前記ノズルを開閉するニードル弁を有した電磁ソレノイドと、噴出したガスを燃焼させる燃焼部と、燃焼部で生じた高温ガスを採熱面を介して輻射エネルギーに変換する輻射体と、空気流を供給する送風手段と、前記送風手段からの空気流と燃焼部で生じた高温ガスを混合して温風として排出する温風吹出口と、燃焼部で生じた高温ガスを輻射体側あるいは温風吹出口側へ切り替える高温ガス切替手段と、運転条件等を設定する操作部と、操作部で設定された条件に基づいて運転を制御する制御部とを備え、前記制御部は燃焼停止時にポンプの動作を停止したのち、第１所定時間後に電磁ソレノイドによりノズルを閉塞して消火動作を行う燃焼停止制御部を有し、前記燃焼停止制御部は燃焼停止前の運転が輻射暖房運転の場合は、前記高温ガス切替手段は燃焼停止時のまま消火動作を行い、その後、第２所定時間経過時点で前記高温ガス切替手段を温風吹出口側に切り替えるようにし、燃焼停止前の運転が温風暖房運転の場合は、燃焼停止動作時に前記高温ガス切替手段を温風吹出口側から輻射体側へ切り替えて消火動作を行い、その後、第３所定時間経過時点で前記高温ガス切替手段を温風吹出口側に切り替える構成としてある。
【００２９】
そして、燃焼停止制御部は、燃焼停止動作時にポンプの動作を停止したのち第１所定時間後に電磁ソレノイドによりノズルを閉塞して消火動作を行うようにしてあるので、燃焼停止時の臭気の発生を抑制でき、使用感が向上する。
【００３０】
つまり、燃焼停止動作時は第１所定時間の間、ポンプを停止してノズルを開放状態とすることで燃焼を徐々に小さくし、その後、電磁ソレノイドのニードルでノズルを閉塞して完全に燃焼停止するようにし、火炎ボリュームを小さくしてから消火動作を行うようにしているため、消火時の未燃ガスの発生を低減することができ、臭気の発生を抑制することができる。
【００３１】
さらに、燃焼停止制御部は、燃焼停止前の運転が輻射暖房運転の場合は、そのまま消火動作を行い、温風暖房運転を行っているときに燃焼を停止した場合は、燃焼停止動作時に高温ガス切替手段を輻射体側へ切り替えるようにしてあるので、使用者は常に臭気が低い条件で燃焼停止でき、使用感が向上する。
【００３２】
つまり、輻射暖房運転での燃焼停止動作時は、燃焼部で生じた高温ガスを高温ガス切替手段で輻射体側へ切り替えた条件で消火するようになっていて、燃焼部で生じた燃焼排ガスの高温ガスは、送風手段からの空気流が作用しないので、下方へ流れる力が働かず、その熱によるドラフトで燃焼筒からさらに上方へ流れ、輻射体へ導かれるようになる。そして、燃焼部で生じた消火時の未燃ガスはその熱によるドラフトで燃焼筒内を上方へゆっくりと流れていく過程で殆ど燃焼完結するようになり、未燃ガスは室内に放出される量が少なく、さらに、放出された未燃ガスは機器の上方に排出されるようにしてあるので、使用者の居住空間にはあまり到達せず、使用者は臭気をあまり感じないで使用できるようになる。
【００３３】
また、温風暖房運転での燃焼停止動作時は、燃焼部で生じた高温ガスを高温ガス切替手段で温風吹出口側へ切り替えた条件で消火するが、燃焼停止動作時に高温ガス切替手段を輻射体側へ切り替えるようにしているため、燃焼部で生じた燃焼排ガスの高温ガスは、遅れながらも燃焼筒周囲に送風手段からの空気流が流れなくなり、上記した輻射暖房運転での燃焼停止動作時の条件に近い効果が得られ、使用者は臭気をあまり感じないで使用できるようになり、使用感が大幅に向上する。
【００３４】
さらに、燃焼停止制御部は、輻射暖房運転の燃焼停止時には消火動作後、第２所定時間経過時点、また、温風暖房運転の燃焼停止時には消火動作後、第３所定時間経過時点で、高温ガス切替手段を温風吹出口側へ切り替えることで、燃焼停止直後の未燃ガスの発生がなくなった後に、燃焼筒周囲に空気流を流し、燃焼筒内の高温の空気を早く排出させて、燃焼部や気化部を早く冷却して、気化部内の燃料が気化してノズルより漏れて臭気の発生することを低減することができる。
【００３５】
同時に、気化部の温度が早く下がるので、ソレノイドの通電を停止して、ニードルによるノズルの閉塞を早く終了することができ、ソレノイドの通電によるソレノイド自身の温度上昇を防止するとともに、ソレノイドの通電による消費電力を低減することができる。
【００３６】
請求項２記載の暖房装置は、高温ガス切替手段は、送風手段からの室内空気流の流れを切り替えて高温ガスの流れを輻射体側あるいは温風吹出口側に切り替える構成としてある。
【００３７】
そして、高温ガス切替手段は、送風手段からの室内空気流の流れを切り替えて高温ガスの流れを輻射体側あるいは温風吹出口側に切り替える構成としてあり、簡単な構成で快適性の高い暖房装置を実現することができるとともに、温風暖房運転時における燃焼停止時の空気流路の切り替えも比較的スムーズに行うことができ、未燃ガスの排出を抑えることができる。
【００３８】
請求項３記載の暖房装置は、輻射体は、その採熱面の全体あるいは一部に空気浄化させる触媒機能を担持した構成としてある。
【００３９】
そして、上記輻射体は、その採熱面の全体あるいは一部に空気浄化させる触媒機能を担持してあるので、輻射暖房運転時において、広い面を有する輻射体に触媒の担持された採熱面に沿って燃焼排ガスが上昇していき、その間燃焼排ガスは触媒の作用で浄化されるようになる。つまり、高温の広い面で長い時間燃焼排ガスが触媒面に接するようになり、触媒作用を最も効果的に引き出すことができるようになり、空気浄化が促進される。
【００４０】
また、燃焼開始時および燃焼停止時の燃焼部で生じた未燃ガスも同様に、広い面を有する輻射体に触媒の担持された採熱面に沿って燃焼排ガスが上昇していき、その間燃焼排ガスは触媒の作用で浄化されるようになる。つまり、高温の広い面で長い時間燃焼排ガスが触媒面に接するようになり、触媒作用を最も効果的に引き出すことができるようになり、臭気の低減を図ることができる。
【００４１】
【実施例】
以下、本発明の実施例について図面を用いて説明する。
【００４２】
（実施例１）
図１は本発明の実施例１の暖房装置の輻射暖房運転時の断面図、図２は温風暖房運転時の暖房装置の断面図、図３は燃焼部の要部断面図、図４は制御ブロック図である。
【００４３】
まず、図３を用いて燃焼部の説明をすると、２１は、液体燃料を保有するタンク、タンク２１の上面にポンプ２２が取付けられていて、そのポンプ２２の上端から送油パイプ２５を介して気化部２４に燃料を供給するようになっている。気化部２４には、供給された燃料を気化させる気化室２５に燃料の気化を促進させる気化素子２６が配設され、気化部２４の中央には混合管２７が突出していて該混合管２７を取り囲むようドーナツ形状に構成してあり、その周壁にヒータ２８と気化部温度検出手段２９が配設してある。
【００４４】
３０は、気化部２４に接続した送油パイプ２３の入り口に対し、混合管２７とは反対側にノズル３１へ連ねて配設した連通路である。
【００４５】
ノズル３１にはタンク２１に連通させた戻りパイプ３２と電磁ソレノイド３３が接続してあり、そして電磁ソレノイド３３にはノズル３１の開閉を行うニードル３４が設けてある。
【００４６】
３５は、前記混合管２７の出口を覆うように気化部２４の上部に載置した燃焼部で、近傍に、燃焼部３５の周壁に形成した炎孔３５ａより噴出する気化ガスに燃焼を開始させる高圧放電等の着火手段３６が設けてある。
【００４７】
そして、図１〜図２に示すように、この燃焼部３５で生じた燃焼排ガスを上方へ導くように配設した燃焼筒３７で覆われていて、この燃焼部３５と燃焼筒３７で高温ガスを発生させる高温ガス発生手段を形成している。
【００４８】
３８は、輻射体加熱風路３９を流れる高温の燃焼排ガスの熱をその採熱面４０で採熱し、その採熱した熱を輻射エネルギーとして発生する輻射体であり、輻射体３８の採熱面４０の表面全体に空気を浄化させる機能を有した触媒を担持してある。
【００４９】
４１は、輻射体加熱風路３９と機器筐体４２の間に空気流を流し、輻射暖房運転時に機器筐体４２への熱伝導を低減する輻射手段冷却風路で、この輻射手段冷却風路４１を流れる空気流を該機器の前方上方へ排出して、部屋の空気の循環流を形成するようにしてある。
【００５０】
４３は、輻射手段冷却風路４１下方に位置させ、輻射体３８の下部に配置した温風吹出口で、燃焼部３５生じた燃焼排ガスと室内空気流を混合して温風として排出するようになっている。
【００５１】
４４は、室内空気を空気流として供給する送風手段で、この空気流は本体冷却風路４５を介して高温ガス切替手段４６で、輻射手段冷却風路４１側あるいは温風吹出口４３側へ切り替えられ、流れていくようになっている。
【００５２】
４７は、該機器の運転条件を設定する操作部で、高温ガス切替手段４６で燃焼部３５で生じた高温ガスを輻射体３８側かあるいは温風吹出口４３側へ切り替える切替ボタン４８と手動で輻射暖房運転か温風暖房運転かに切り替えたことを表示する表示機能（ＬＥＤ）４９からなる運転モード切替手段を有している。
【００５３】
また図４において、５０は制御部で、送風手段４４の吸い込み口に配設し該機器で部屋の代表温度として温度検出する温度検出手段５１で検知した室温や操作部で設定された運転条件等に基づいて送風手段４４や高温ガス切替手段４６をあらかじめ決められたシーケンスで制御する制御部である。
【００５４】
制御部５０には燃焼開始時に予め決められたシーケンスで制御する燃焼開始制御部５２と燃焼停止時に予め決められたシーケンスで制御する燃焼停止制御部５３を設けてある。
【００５５】
そして、燃焼停止制御部５３は、燃焼停止動作時にポンプ２２の燃料供給を停止したのち第１所定時間後（例えば４秒後）に電磁ソレノイド３３でノズル３１を閉じて気化部２４からの燃料気化ガスの噴出を停止して燃焼部３５の燃焼を消火する消火動作を行う。また、上記消火動作は燃焼停止動作前の運転状態に応じて高温ガス切替手段４６を切り替えるように構成しており、燃焼停止動作前の運転が輻射暖房運転の場合は、高温ガス切替手段４６は燃焼停止時のままとし、上記消火動作を行い、その後、第２所定時間後（例えば１０秒後）に高温ガス切替手段４６を温風吹出口４３側へ切り替えるようにしている。
【００５６】
また、燃焼停止動作前の運転が温風暖房運転の場合は、燃焼停止動作時に高温ガス切替手段４６を温風吹出口４３側から輻射体３８側へ切り替えて消火動作を行うようにし、その後、第３所定時間後（例えば１０秒後）に高温ガス切替手段４６を再度、温風吹出口４３側へ切り替えるように予め決められたシーケンスで制御するしてようにしてある。
【００５７】
上記した構成において、気化部２４はヒータ２８で第１の所定温度まで加熱され、送油パイプ５入り口から入った油を気化室２５の気化素子２６で気化される。気化されたガスは気化部２４下部にある連通路１２を通って下方に流れノズル３１に達し、電磁ソレノイド３３を作動させてニードル３４を開放してノズル３１より気化ガスを噴出させると、気化ガスは周囲の空気を吸引混合しながら混合管２７を介してバーナ部１７内に供給され、炎孔１８部分より噴出するようになる。
【００５８】
ここで着火手段１９を作動させると、多数の炎孔１８に均一な火炎を形成して燃焼を開始し、着火手段１９を停止してもポンプ２４で気化部２４に燃料を供給し続けると燃焼を継続し、生じた燃焼ガスはバーナ部１７の周囲を覆うように配設された燃焼筒３７で上方へ導かれる。
【００５９】
そして、高温ガス切替手段４６で送風手段４４からの空気流を輻射手段冷却風路４１側へ切り替えたときには輻射暖房運転となり、輻射手段冷却風路４１の入り口を開口し、送風手段４４からの空気流が輻射手段冷却風路４１へ流れ、燃焼部３５で生じた燃焼排ガスは、送風手段４４からの空気流が作用しなくなり、燃焼筒３７の上方へ流れていき、その熱によるドラフトでさらに上方へ流れ、輻射体加熱風路２４へ導かれるようになる。
【００６０】
輻射体加熱風路２４へ導かれた高温の燃焼排ガスは、輻射体３８の採熱面４０に沿って上昇しながら採熱面４０を高温とし、その採熱面４０で採熱した熱を輻射体３８より輻射エネルギーとして発生し、輻射暖房をすることができるようになる。
【００６１】
また同時に、輻射手段冷却風路４１へ流れた空気流が該機器の前方上方へ温風として排出され、部屋の空気の循環流を形成するようにしてあるので、室内の空気が循環して部屋全体の空気が混ざり合い、輻射のみの暖房に比べ、部屋全体温度がほぼ均一となり暖房感が向上する。
【００６２】
さらに、循環流も機器の上方に排出するようにしてあるので、機器の上方に気流感があるだけで、機器の前方つまり使用者の居住空間には気流感がなく、気流による不快感を使用者が感じることがなくなり暖房感が向上する。
【００６３】
次に、高温ガス切替手段４６で送風手段４４からの空気流を温風吹出口４３側へ切り替えたときには温風暖房運転となり、輻射手段冷却風路４１の入り口を閉塞して、送風手段４４からの空気流が燃焼筒３７の前面下方へ流れ燃焼部３５で生じた燃焼排ガスを温風吹出口４３側へ導き、送風手段４４からの空気流と燃焼部３５で生じた燃焼排ガスを混合して温風とし、温風吹出口４３からを排出して温風暖房を行うことができる。
【００６４】
また、制御部５０は、温度検出手段５１で検知した室温や操作部４７で設定された運転モード切替手段等の運転条件等に基づいて、送風手段４４や高温ガス切替手段４６を予め決められたシーケンスで制御するようになっている。
【００６５】
そして、制御部５０には燃焼開始時と燃焼停止時の運転条件を予め設定した燃焼開始制御部５２と燃焼停止制御部５３を設けてある。
【００６６】
燃焼開始制御部５２は燃焼開始時に燃焼部３５で生じた高温ガスを輻射体３８側に切り替えた輻射暖房運転の条件で着火し、燃焼部３５の燃焼が安定した所定時間後に操作部４７で設定された条件に基づいて高温ガス切替手段４６を切替えて、輻射暖房運転のままかあるいは温風暖房運転とするようにしてあるので、燃焼開始時は必ず輻射暖房運転の条件で着火するようになっていて、使用者は常に臭気が低い条件で燃焼開始でき、使用感が向上するようになる。
【００６７】
つまり、燃焼開始時の輻射暖房運転での条件は、燃焼部３５で生じた高温ガスを高温ガス切替手段４６で輻射体３８側へ切り替えた条件で着火するようになっていて、燃焼部３５で生じた燃焼排ガスの高温ガスは、送風手段４４からの空気流の力が働かないので、下方へ流れる力が働かず、その熱によるドラフトで、燃焼筒３７からさらに上方へ流れ、輻射体３８へ導かれるようになる。そして、燃焼部３５で生じた着火時の未燃ガスはその熱によるドラフトで燃焼筒３７内を上方へゆっくりと流れていく過程で殆ど燃焼完結するようになり、未燃ガスは室内に放出される量が少なく、さらに、放出された未燃ガスは機器２７の上方に排出されるようにしてあるので、使用者の居住空間にはあまり到達せず、使用者は臭気をあまり感じないで使用出来るようになり、使用感が大幅に向上する。
【００６８】
また、燃焼停止制御部５３は、燃焼停止時にポンプ２２の燃料供給を停止したのち、第１所定時間後（例えば４秒後）に電磁ソレノイド３３でノズル３１を閉じて気化部２４からの燃料気化ガスの噴出を停止して燃焼部３５の燃焼を消火する消火動作を行うようにしてあるので、燃焼停止時の臭気の発生を抑制でき、使用感が向上するようになる。
【００６９】
つまり、燃焼部３５での燃焼は燃料供給後徐々に小さくしてその後ソレノイドのニードルでノズル３１を閉じ、完全に燃焼停止するようにして、即ち、火炎ボリュームを小さくして消火動作するようにしてあるので、消火時の未燃ガスの発生を低減することができ、臭気の発生を抑制することが出来る。
【００７０】
さらに、燃焼停止制御部５３は、輻射暖房運転の燃焼停止時にはそのまま消火動作し、温風暖房運転の燃焼停止時には消火動作と同時に高温ガス切替手段４６を輻射体３８側へ切り替えるするので、使用者は常に臭気が低い条件で燃焼停止でき、使用感が向上するようになる。
【００７１】
つまり、輻射暖房運転での燃焼停止時の条件は、燃焼開始時と同様に、燃焼部３５で生じた高温ガスを高温ガス切替手段４６で輻射体３８側へ切り替えた条件で消火するようになっていて、燃焼部３５で生じた燃焼排ガスの高温ガスは、送風手段４４からの空気流の力が働かないので、下方へ流れる力が働かず、その熱によるドラフトで、燃焼筒３７からさらに上方へ流れ、輻射体３８へ導かれるようになる。そして、燃焼部３５で生じた消火時の未燃ガスはその熱によるドラフトで燃焼筒３７内を上方へゆっくりと流れていく過程で殆ど燃焼完結するようになり、未燃ガスは室内に放出される量が少なく、さらに、放出された未燃ガスは機器２７の上方に排出されるようにしてあるので、使用者の居住空間にはあまり到達せず、使用者は臭気をあまり感じないで使用できるようになる。
【００７２】
また、温風暖房運転での燃焼停止時の条件は、燃焼部３５で生じた高温ガスを高温ガス切替手段４６で温風吹出口４３側へ切り替えた条件で消火するが、燃焼停止動作時に高温ガス切替手段４６を輻射体３８側へ切り替えるようになっていて、燃焼部３５で生じた燃焼排ガスの高温ガスは、遅れながらも、燃焼筒３７周囲に送風手段４４からの空気流が流れなくなり、輻射暖房運転での燃焼停止時の条件に近い効果が得られ、使用者は臭気をあまり感じないで使用できるようになり、使用感が大幅に向上する。
【００７３】
そして、燃焼停止制御部５３は、輻射暖房運転の燃焼停止時には消火動作後、第２所定時間後（例えば１０秒後）に、また、温風暖房運転の燃焼停止時には燃焼停止動作後、第３所定時間後（例えば１０秒後）に、高温ガス切替手段４６を温風吹出口４３側へ切り替えるようにしてあるので、燃焼停止直後の未燃ガスの発生がなくなった後に、燃焼筒３７周囲に空気流を流し、燃焼筒３７内の高温空気を早く排出させて、燃焼部３５や気化部２４を早く冷却して、気化部２４内の燃料が気化してノズル３１より漏れて臭気の発生することを低減することができる。
【００７４】
さらに、気化部２４の温度が早く下がるので、ソレノイドの通電を停止して、ニードルによるノズル３１の閉塞を早く終了することができ、ソレノイドの通電によるソレノイド自身の温度上昇を防止するとともに、ソレノイドの通電による消費電力を低減することができるようになる。
【００７５】
さらに、輻射体３８は、その採熱面４０の全体に空気浄化させる触媒機能を担持してあるので、輻射暖房運転時において、広い面を有する輻射体３８に触媒の担持された採熱面４０に沿って燃焼排ガスが上昇していき、その間燃焼排ガスは触媒の作用で浄化されるようになり、つまり、高温の広い面で長い時間燃焼排ガスが触媒面に接するようになり、触媒の効果を最も効果的に引き出すことができるようになり、空気浄化が促進される。
【００７６】
また、燃焼開始時および燃焼停止時の燃焼部３５で生じた未燃ガスも同様に、広い面を有する輻射体３８に触媒の担持された採熱面４０に沿って燃焼排ガスが上昇していき、その間燃焼排ガスは触媒の作用で浄化されるようになり、つまり、高温の広い面で長い時間燃焼排ガスが触媒面に接するようになり、触媒の効果を最も効果的に引き出すことができるようになり、臭気の低減を図ることができるようになる。
【００７７】
そして、高温ガス切替手段４６は、送風手段４４からの室内空気流の流れを切り替えて高温ガスの流れを輻射体３８側あるいは温風吹出口４３側に切り替える構成としてあり、簡単な構成で上記と同様快適性の高い暖房装置を実現することができる。
【００７８】
【発明の効果】
以上ように本発明の暖房装置によれば、燃焼停止制御部は、燃焼停止動作時にポンプの動作を停止したのち第１所定時間後に電磁ソレノイドによりノズルを閉塞して消火動作を行うようにしてあるので、燃焼停止時の臭気の発生を抑制でき、使用感が向上する。
【００７９】
つまり、燃焼停止動作時は第１所定時間の間、ポンプを停止してノズルを開放状態とすることで燃焼を徐々に小さくし、その後、電磁ソレノイドのニードルでノズルを閉塞して完全に燃焼停止するようにし、火炎ボリュームを小さくしてから消火動作を行うようにしているため、消火時の未燃ガスの発生を低減することができ、臭気の発生を抑制することができる。
【００８０】
さらに、燃焼停止制御部は、燃焼停止前の運転が輻射暖房運転の場合は、そのまま消火動作を行い、温風暖房運転を行っているときに燃焼を停止した場合は、燃焼停止動作時に高温ガス切替手段を輻射体側へ切り替えるようにしてあるので、使用者は常に臭気が低い条件で燃焼停止でき、使用感が向上する。
【００８１】
つまり、輻射暖房運転での燃焼停止動作時は、燃焼部で生じた高温ガスを高温ガス切替手段で輻射体側へ切り替えた条件で消火するようになっていて、燃焼部で生じた燃焼排ガスの高温ガスは、送風手段からの空気流が作用しないので、下方へ流れる力が働かず、その熱によるドラフトで燃焼筒からさらに上方へ流れ、輻射体へ導かれるようになる。そして、燃焼部で生じた消火時の未燃ガスはその熱によるドラフトで燃焼筒内を上方へゆっくりと流れていく過程で殆ど燃焼完結するようになり、未燃ガスは室内に放出される量が少なく、さらに、放出された未燃ガスは機器の上方に排出されるようにしてあるので、使用者の居住空間にはあまり到達せず、使用者は臭気をあまり感じないで使用できるようになる。
【００８２】
また、温風暖房運転での燃焼停止動作時は、燃焼部で生じた高温ガスを高温ガス切替手段で温風吹出口側へ切り替えた条件で消火するが、燃焼停止動作時に高温ガス切替手段を輻射体側へ切り替えるようにしているため、燃焼部で生じた燃焼排ガスの高温ガスは、遅れながらも燃焼筒周囲に送風手段からの空気流が流れなくなり、上記した輻射暖房運転での燃焼停止動作時の条件に近い効果が得られ、使用者は臭気をあまり感じないで使用できるようになり、使用感が大幅に向上する。
【００８３】
さらに、燃焼停止制御部は、輻射暖房運転の燃焼停止時には消火動作後、第２所定時間経過時点、また、温風暖房運転の燃焼停止時には消火動作後、第３所定時間経過時点で、高温ガス切替手段を温風吹出口側へ切り替えることで、燃焼停止直後の未燃ガスの発生がなくなった後に、燃焼筒周囲に空気流を流し、燃焼筒内の高温の空気を早く排出させて、燃焼部や気化部を早く冷却して、気化部内の燃料が気化してノズルより漏れて臭気の発生することを低減することができる。
【００８４】
同時に、気化部の温度が早く下がるので、ソレノイドの通電を停止して、ニードルによるノズルの閉塞を早く終了することができ、ソレノイドの通電によるソレノイド自身の温度上昇を防止するとともに、ソレノイドの通電による消費電力を低減することができる。
【図面の簡単な説明】
【図１】本発明の実施例１の暖房装置の輻射暖房運転時の断面図
【図２】同暖房装置の温風暖房運転時の断面図
【図３】同暖房装置の燃焼部の要部詳細図
【図４】同暖房装置の制御ブロック図
【図５】従来の暖房装置の輻射暖房運転時の断面図
【図６】同従来の暖房装置の温風暖房運転時の断面図
【図７】同従来の暖房装置の制御ブロック図
【符号の説明】
２２  ポンプ
２４  気化部
３１  ノズル
３３  ソレノイド
３４  ニードル
３５  燃焼部
３８  輻射体
４０  採熱面
４３  温風吹出口
４４  送風手段
４６  高温ガス切替手段
４７  操作部
５０  制御部
５２  燃焼開始制御部
５３  燃焼停止制御部
【図１】
2004286339.tif 000003
【図２】
2004286339.tif 000004
【図３】
2004286339.tif 000005
【図４】
2004286339.tif 000006
【図５】
2004286339.tif 000007
【図６】
2004286339.tif 000008
【図７】
2004286339.tif 000009